(57)【特許請求の範囲】
【請求項１】
蓋の後端を便器本体に枢着し、更に該蓋の後端からバネ受け片を差出し、更に該蓋の枢着位置よりも後方において該バネ受け片と該便器本体後端部との間にはコイルバネを差渡し、蓋を閉じた状態では該コイルバネはバネ受け片を下側から上方に付勢することによって該蓋を閉じる方向に付勢し、蓋を開けた状態では該コイルバネはバネ受け片を後側から前方に付勢することによって該蓋を開く方向に付勢することを特徴とする便器の蓋。
【請求項２】
該蓋は相互蝶着されている前半部と後半部とからなり二つ折り可能にされている請求項１に記載の便器の蓋。
【請求項３】
該便器本体の後部にはコの字形の背もたれが立設されており、該蓋は二つ折り全開状態では該背もたれ内側を通過して垂直状態よりも後方に傾斜した状態にある請求項２に記載の便器の蓋。
【請求項４】
該蓋の上面前側には把手が凹設されている請求項１〜請求項３のいずれか１項に記載の便器の蓋。
【請求項５】
該蓋の前端にはベルトが取付けられている請求項１〜請求項３のいずれか１項に記載の便器の蓋。
【発明の詳細な説明】
【０００１】
【発明の属する技術分野】
本発明は便器の蓋に関するものである。
【０００２】
【従来の技術】
従来、便器の蓋としては、コイルバネを介在させることなく、単に蓋の後端を便器本体に枢着するものが一般的であった。
【０００３】
【発明が解決しようとする課題】
しかしながら上記従来の蓋では、蓋の開閉の全過程を使用者が行う必要があり、使用者は蓋を最後まで開閉する際、深い前かがみ姿勢になる必要があり、特に弱者の場合には、腰などに大きな負担がかかるという問題があった。
また、蓋を開けた状態または閉じた状態で蓋が不安定であるという問題点があり、特に蓋を開けた状態で蓋が不安定だと、不意に蓋が倒れてしまうという問題もあった。
【０００４】
【課題を解決するための手段】
本発明は上記従来の課題を解決するための手段として、蓋(9) の後端を便器本体(2) に枢着し、更に該蓋(9) の後端からバネ受け片(17)を差出し、更に該蓋(9) の枢着位置(16)よりも後方においてバネ受け片(17)と該便器本体(2) 後端部との間にはコイルバネ(30)を差渡し、蓋(9) を閉じた状態では該コイルバネ(30)はバネ受け片(17)を下側から上方に付勢することによって該蓋(9) を閉じる方向に付勢し、蓋(9) を開けた状態では該コイルバネ(30)はバネ受け片(17)を後側から前方に付勢することによって該蓋(9) を開く方向に付勢する便器(1) の蓋(9) を提供するものである。
該蓋(9) は相互蝶着されている前半部(13)と後半部(14)とからなり二つ折り可能にされていることが望ましく、該便器本体(2) の後部にはコの字形の背もたれ(4) が立設されており、該蓋(9) は二つ折り全開状態では該背もたれ(4) 内側を通過して垂直状態よりも後方に傾斜した状態にあることが望ましい。
更に、該蓋(9) の上面前側には把手(15)が凹設されていることが望ましく、または、該蓋(9) の前端にはベルトが取付けられていることが望ましい。
【０００５】
【作用】
蓋(9) を閉じた状態では、蓋(9) の後端のバネ受け片(17)には該蓋(9) の枢着位置(16)よりも後方においてコイルバネ(30)の弾性復元力が下側から上方に作用し、かくして該バネ受け片(17)には該コイルバネ(30)によって左回転の付勢力が働き、枢着された蓋(9) は回転運動をするので、該左回転の付勢力は蓋(9) を閉じる方向に付勢する。
蓋(9) を開けた状態では、蓋(9) の後端のバネ受け片(17)には該蓋(9) の枢着位置(16)よりも後方においてコイルバネ(30)の弾性復元力が後側から前方に作用し、かくして該バネ受け片(17)には該コイルバネ(30)によって右回転の付勢力が働き、枢着された蓋(9) は回転運動をするので、該右回転の付勢力は蓋(9) を開ける方向に付勢する。
このように、コイルバネ(30)による付勢力の向きが、蓋(9) を閉じた状態と蓋(9) を開けた状態とで逆向きになるので、蓋(9) の開閉の途中、すなわち蓋(9) が半開きの状態で付勢力の向きが逆転するところが存在する。したがって、使用者は蓋(9) を開閉する場合に、付勢力の向きが逆転するところまで蓋(9) を開閉するだけで、その後はコイルバネ(30)の付勢力によって蓋(9) は自動的に開閉する。
【０００６】
【発明の実施の形態】
〔実施例１〕
本発明を図１〜図５に示す一実施例によって説明する。図１および図２に示すように携帯用便器(1) は、中央に開口部を有する便器本体(2) と、該便器本体(2) の四隅に高さ調節可能に設けられる脚(3) と、該便器本体(2) の上面後部に立設されるコの字形の背もたれ(4) と、上面左右両側に設けられるアームレスト(5) とからなり、該便器本体(2) の開口部には受け板(6) が載置され、該受け板(6) には便座(7) が回動可能に取付けられるとともに便受器(8) が懸架されており、該便座(7) の上側には蓋(9) が二つ折り開閉可能に取付けられている。
本実施例では、便器本体(2) 上面後部には凹部(10)が設けられており、該凹部(10)には蓋取付用部材(11)が嵌着され、蓋(9) は該蓋取付用部材(11)を介して便器本体(2) に取付けられている（図３参照）。
【０００７】
図３および図４に示すように、該蓋(9) はヒンジ部(12)を介して二つ折り可能に相互蝶着されている前半部(13)と後半部(14)とからなり、該蓋(9) 前半部(13)の上面前側には蓋(9) を開閉する際の手がかりとして把手(15)が凹設され、該蓋(9) 後半部(14)の後端からは軸受孔(16)を有するバネ受け片(17)が差出され、該軸受孔(16)の後方において、該バネ受け片(17)の先端にはバネ取付用凹部(18)が設けられている。
蓋取付用部材(11)の上面前部には軸受凹部(19)が設けられ、該軸受凹部(19)の一方の側壁からは軸受凸部(20)が凸設され、他方の側壁にはピン挿通孔(21)が設けられている。更に、該蓋取付用部材(11)の上面後部にはバネ収納用凹部(22)が設けられ、該バネ収納用凹部(22)の一方の側壁にはバネ取付用凹部(23)が設けられ、後壁にはバネ運動用凹部(24)が設けられており、後壁の上部にはコイルバネ(30)が外れて飛び出るのを防止するバネ飛出防止用突片(25)が突設されている。また、該蓋取付用部材(11)のバネ収納用凹部(22)の四隅には係合孔(26)が設けられ、該バネ収納用凹部(22)に取付けられる小蓋(27)の四隅には該係合孔(26)にそれぞれ係合する係合片(28)が設けられている。
【０００８】
蓋(9) を蓋取付用部材(11)に取付ける場合には、蓋(9) 後半部(14)の一方の軸受孔(16)に蓋取付用部材(11)の軸受凸部(20)を挿着し、他方の軸受孔(16)にピン挿通孔(21)を介してピン(29)を挿着して、蓋(9) 後半部(14)の後端を蓋取付用部材(11)に回動可能に枢着する。この際、蓋(9) 後半部(14)のバネ受け片(17)のバネ取付用凹部(18)と、蓋取付用部材(11)のバネ収納用凹部(22)のバネ取付用凹部(23)との間にはコイルバネ(30)が差渡されており、該コイルバネ(30)は蓋取付用部材(11)のバネ収納用凹部(22)内に収納されている。本実施例では、蓋取付用部材(11)のバネ取付用凹部(23)の幅は下端部にいくほど狭く設定されているので（図３参照）、該コイルバネ(30)を該バネ取付用凹部(23)に取付けたときの遊びを少なくすることが出来、確実かつ安定に固定することができる。
そして、小蓋(27)の係合片(28)をバネ収納用凹部(22)の係合孔(26)にそれぞれ係合させて、該バネ収納用凹部(22)を覆うための小蓋(27)を該蓋取付用部材(11)に取付ける。
【０００９】
上記のようにして蓋(9) が取付けられた蓋取付用部材(11)を便器本体(2) に取付ける場合には、該蓋取付用部材(11)を便器本体(2) 上面後部の凹部(10)に嵌着する。この際、蓋取付用部材(11)が便器本体(2) の凹部(10)の側壁上端に突設された係止片(31)によって係止されるとともに、蓋取付用部材(11)の前面に突設された係止片(32)が便器本体(2) の段部（図示せず）によって係止され、嵌着した蓋取付用部材(11)が便器本体(2) から外れるのを防止する。
【００１０】
図５（イ）に示すように、蓋(9) を閉じた状態では、該コイルバネ(30)はバネ受け片(17)を介して蓋(9) を閉じる方向に付勢する。すなわち、該バネ受け片(17)の軸受孔(16)よりも後方において、コイルバネ(30)の弾性復元力が蓋(9) 後半部(14)のバネ受け片(17)先端に下側から上方に作用すると、該バネ受け片(17)が軸受孔(16)を中心にして左回転の付勢力を受け蓋(9) 後半部(14)は軸受孔(16)を中心にして回転運動するので、該左回転の付勢力は蓋(9) 後半部(14)および蓋(9) 前半部(13)を閉じる方向に付勢する。
この状態では、該蓋(9) 前半部(13)と後半部(14)とが平面状となり、該蓋(9) 前半部(13)と後半部(14)によって便座(7) の上側が覆われる。
【００１１】
図５（ロ）に示すように、蓋(9) を開けた状態では、該コイルバネ(30)はバネ受け片(17)を介して蓋(9) を開く方向に付勢する。すなわち、該バネ受け片(17)の軸受孔(16)よりも後方において、コイルバネ(30)の弾性復元力が蓋(9) 後半部(14)のバネ受け片(17)先端に後側から前方に作用すると、該バネ受け片(17)が軸受孔(16)を中心にして右回転の付勢力を受け蓋(9) 後半部(14)は軸受孔(16)を中心にして回転運動するので、該右回転の付勢力は蓋(9) 後半部(14)および蓋(9) 前半部(13)を開く方向に付勢することになる。
この状態では、該蓋(9) の前半部(13)の自重によって、該蓋(9) 前半部(13)と後半部(14)はヒンジ部(12)を介して二つ折りになり、該背もたれ(4) 内側を通過して垂直状態よりも後方に傾斜した状態になる。
【００１２】
このように、コイルバネ(30)による付勢力の向きが、蓋(9) を閉じた状態と蓋(9) を開けた状態とで逆向きになるので、蓋(9) の開閉の途中、すなわち蓋(9) が半開きの状態で付勢力の向きが逆転する中間点が存在する。
したがって、使用者は蓋(9) を開けようとする場合に、付勢力の向きが逆転する中間点まで蓋(9) を開けるだけで、その後はコイルバネ(30)の付勢力によって蓋(9) は自動的に開かれる。そのため、使用者は最後まで蓋(9) を開ける必要がなく、深い前かがみ姿勢になることがなくなるので、腰にかかる負担を軽減することが出来る。
また、該蓋(9) を開けた状態において、該蓋(9) は蓋(9) を開く方向に付勢されているので、蓋(9) が開いた状態でも非常に安定であり不意に倒れることがない。
更に、該蓋(9) 前半部(13)と後半部(14)とが平面状となった状態のままで蓋(9) を開いた場合でも、蓋(9) 前半部(13)が背もたれ(4) に当たって二つ折り状態になり、該背もたれ(4) 内側を通過する。また、蓋(9) が開いた状態では、垂直状態よりも後方に傾斜した状態になるので、使用者が背もたれ(4) にもたれたときに、該蓋(9) が使用者の背中に当たることがない（図２参照）。
【００１３】
蓋(9) を閉じようとする場合にも、蓋(9) を開ける場合と同様、付勢力の向きが逆転する中間点まで蓋(9) を閉じるだけで、その後はコイルバネ(30)の付勢力によって蓋(9) は自動的に閉じられるため、使用者は最後まで蓋(9) を閉じる必要がない。
この際、コイルバネ(30)はバネ収納用凹部(22)の後壁に向かって動くが、該後壁にはバネ運動用凹部(24)が設けられており、コイルバネ(30)の移動スペースが確保されているので、コイルバネ(30)の動きが阻害されることがない（図５参照）。
また、該蓋(9) を閉じた状態において、該蓋(9) は蓋(9) を閉じる方向に付勢する付勢されているので、蓋(9) が閉じた状態でも非常に安定である。
【００１４】
〔実施例２〕
図６および図７には他の実施例が示される。本実施例においては、図６に示すように、該蓋(9) 後半部(14)の後端からは軸部(33)を有するバネ受け片(17)が差出され、該バネ受け片(17)の後端部において該軸部(33)の後方にはバネ取付孔(34)を有するバネ取付部(35)が設けられている。
蓋取付用部材(11)の上側には断面コの字状のカバー部(36)が設けられており、蓋取付用部材(11)の中央前部には軸受孔(37)を有する軸受部(38)が立設され、該蓋取付用部材(11)の中央後部にはバネ取付孔(39)を有するバネ取付部(40)が設けられている。
【００１５】
蓋(9) を蓋取付用部材(11)に取付ける場合には、蓋(9) 後半部(14)の軸部(33)を蓋取付用部材(11)の軸受孔(37)にそれぞれ挿着して、蓋(9) 後半部(14)の後端を蓋取付用部材(11)に回動可能に枢着する。この際、蓋(9) 後半部(14)のバネ受け片(17)のバネ取付孔(34)と、蓋取付用部材(11)のバネ取付孔(39)との間にはコイルバネ(30)が差渡されており、該コイルバネ(30)は蓋取付用部材(11)のカバー部(36)内に収納されている。
【００１６】
図７（イ）に示すように、蓋(9) を閉じた状態では、該コイルバネ(30)はバネ受け片(17)を介して蓋(9) を閉じる方向に付勢する。すなわち、該バネ受け片(17)の軸部(33)よりも後方において、コイルバネ(30)の弾性復元力が蓋(9) 後半部(14)のバネ受け片(17)先端に下側から上方に作用すると、該バネ受け片(17)が軸部(33)を中心にして左回転の付勢力を受け蓋(9) 後半部(14)は軸部(33)を中心にして回転運動するので、該左回転の付勢力は蓋(9) 後半部(14)および蓋(9) 前半部(13)を閉じる方向に付勢する。
【００１７】
図７（ロ）に示すように、蓋(9) を開けた状態では、該コイルバネ(30)はバネ受け片(17)を介して蓋(9) を開く方向に付勢する。すなわち、該バネ受け片(17)の軸部(33)よりも後方において、コイルバネ(30)の弾性復元力が蓋(9) 後半部(14)のバネ受け片(17)先端に後側から前方に作用すると、該バネ受け片(17)が軸部(33)を中心にして右回転の付勢力を受け蓋(9) 後半部(14)は軸部(33)を中心にして回転運動するので、該右回転の付勢力は蓋(9) 後半部(14)および蓋(9) 前半部(13)を開く方向に付勢することになる。
【００１８】
本実施例では、蓋取付用部材(11)の上側にカバー部(36)を設けることにより、蓋(9) 後半部(14)のバネ受け片(17)が回転するスペースを確保するとともに、コイルバネ(30)の移動スペースを確保することが出来る。
【００１９】
〔実施例３〕
図８には更に他の実施例が示される。本実施例においては、図１〜図５に示した実施例１に対して、図８に示すように該蓋(9) 後半部(14)の後端からは軸部(41)を有するバネ受け片(17)が差出されている。
蓋取付用部材(11)の軸受凹部(19)の一方の側壁には軸受孔(42)が設けられ、他方の側壁には下側軸受凹部(43)を有する段部(44)が設けられている。また、該蓋取付用部材(11)のバネ収納用凹部(22)の所定の位置には係合孔(26)が設けられ、該バネ収納用凹部(22)に取付けられる小蓋(27)には該係合孔(26)にそれぞれ係合する係合片(28)が設けられている。更に、該小蓋(27)には該蓋取付用部材(11)の段部(44)に嵌合する断面コの字状の軸受取付部(45)が設けられ、該軸受取付部(45)の内側壁下部には上側軸受凹部(46)が凹設され、該軸受取付部(45)の外側壁下部には係止爪(47)が設けられている。
【００２０】
蓋(9) を蓋取付用部材(11)に取付ける場合には、蓋(9) 後半部(14)の一方の軸部(41)を蓋取付用部材(11)の軸受孔(42)に挿着し、他方の軸部(41)を蓋取付用部材(11)の下側軸受凹部(43)に受止させる。その後、小蓋(27)の軸受取付部(45)の係止爪(47)を蓋取付用部材(11)の段部(44)下面に係止させて該軸受取付部(45)を該段部(44)に取付けるとともに、小蓋(27)の係合片(28)をバネ収納凹部(22)の係合孔(26)にそれぞれ係合させて該小蓋(27)を該蓋取付用部材(11)に取付けて、該蓋(9) 後半部(14)の他方の軸部(41)を該蓋取付用部材(11)の下側軸受凹部(43)と小蓋(27)の上側軸受凹部(46)とで挟持し、蓋(9) 後半部(14)の後端を蓋取付用部材(11)に回動可能に枢着する。
【００２１】
上記実施例以外、該蓋(9) の前端に蓋(9) を開閉する際の手がかりとしてベルト（図示せず）を取付けてもよく、また、便器本体(2) 上面後部に軸受凹部(19)やバネ収納用凹部(22)等を設け、蓋取付用部材(11)を介することなく、蓋(9) を便器本体(2) に直接取付けてもよい。
【００２２】
また上記実施例以外、蓋(9) のヒンジ部(12)には、蓋(9) 前半部(13)と後半部(14)を二つ折りにする向きに弱く付勢するバネ（図示せず）が取付けられていてもよい。
この場合、蓋(9) を開けた状態では、該ヒンジ部(12)のバネの弱い付勢力によって、該蓋(9) 前半部(13)と後半部(14)はヒンジ部(12)を介して強制的に二つ折りになる。
【００２３】
【発明の効果】
本発明では、使用者は最後まで蓋を開閉する必要がなく、深い前かがみ姿勢になることがなくなるので、腰にかかる負担を軽減することが出来る。また、該蓋を開けた状態または閉じた状態で非常に安定である。
【図面の簡単な説明】
図１〜図５は本発明の一実施例を示すものである。
【図１】携帯用便器（蓋を閉じた状態）の斜視図である。
【図２】携帯用便器（蓋を開けた状態）の斜視図である。
【図３】説明分解斜視図である。
【図４】背面からの説明分解斜視図である。
【図５】説明側断面図である。
【図６】他の実施例における背面からの説明分解斜視図である。
【図７】他の実施例における説明側断面図である。
【図８】更に他の実施例における説明側断面図である。
【符号の説明】
1           便器（携帯用便器）
2           便器本体
4           背もたれ
9           蓋
13          前半部
14          後半部
15          把手
16          軸受孔（枢着位置）
17          バネ受け片
30          コイルバネ
33          軸部（枢着位置）
41          軸部（枢着位置）
【図１】
0003853191.tif 000002
【図２】
0003853191.tif 000003
【図３】
0003853191.tif 000004
【図４】
0003853191.tif 000005
【図５】
0003853191.tif 000006
【図６】
0003853191.tif 000007
【図７】
0003853191.tif 000008
【図８】
0003853191.tif 000009